(57)【要約】【課題】  現場で容易に所望の長さに切断することができ、かつ、取付作業が容易で取付けた後に不意に脱落することがなく、さらに、作製に手間が掛からず大量生産が可能な電線保護カバー用の鳥類飛来防止装置を提供することを目的とする。【解決手段】  電線保護カバー３に着脱自在に取着される取付部７と、取付部７から上方へ突設された複数の障害突部２とを、備える。取付部７は、カバー３を左右両側から挟持する弾性変形可能な複数のクリップ部１…と、複数のクリップ部１…の上部を貫通して連結する１本の捩じり変形可能な連結杆６と、を具備する。クリップ部１は、カバー３に取付状態で、カバー３の円筒状電線挿通部４を左右両側から挟持すると共にカバー３の下辺突条部５が通される切れ目11を下部に有する正面視円環状挟持部10を具備する。【選択図】  図１
2008022742.tif 000002
【特許請求の範囲】
【請求項１】
電線保護カバー（３）に着脱自在に取着される取付部（７）と、該取付部（７）から上方へ突設された複数の障害突部（２）とを、備え、
上記取付部（７）は、上記カバー（３）を左右両側から挟持する弾性変形可能な複数のクリップ部（１）と、該複数のクリップ部（１）の上部（１ａ）を貫通して連結する１本の捩じり変形可能な連結杆（６）と、を具備することを特徴とする電線保護カバー用の鳥類飛来防止装置。
【請求項２】
上記クリップ部（１）は、上記カバー（３）に取付状態で、該カバー（３）の円筒状電線挿通部（４）を左右両側から挟持すると共に該カバー（３）の下辺突条部（５）が通される切れ目（11）を下部に有する正面視円環状挟持部（10）を具備する請求項１記載の電線保護カバー用の鳥類飛来防止装置。
【請求項３】
上記挟持部（10）は、側方に開口する窓部（17）を有するフレーム材（18）が弯曲形成された請求項２記載の電線保護カバー用の鳥類飛来防止装置。
【請求項４】
上記クリップ部（１）は、上記挟持部（10）の上記切れ目（11）を成す両下縁部（12)(12）に、上記カバー（３）の上記電線挿通部（４）に上方から嵌込む際に誘導する一対の弯曲片部（13)(13）を下方拡開状に有する請求項２又は３記載の電線保護カバー用の鳥類飛来防止装置。
【請求項５】
上記弯曲片部（13)(13）以外の部材が、全て線条体から形成される請求項４記載の電線保護カバー用の鳥類飛来防止装置。
【請求項６】
上記弯曲片部（13）は挿通用孔（14）が形成され、上記カバー（３）に取付状態で、各上記クリップ部（１）の一対の上記弯曲片部（13)(13）の該孔（14)(14）に、紐状の離脱防止部材（16）を通して固定し、該離脱防止部材（16）が上記カバー（３）の下辺突条部（５）を下方から包囲して離脱防止するように構成された請求項４又は５記載の電線保護カバー用の鳥類飛来防止装置。
【請求項７】
上記取付部（７）と上記複数の障害突部（２）が一体に射出成形されている請求項１，２，３，４，５又は６記載の電線保護カバー用の鳥類飛来防止装置。
【請求項８】
上記複数のクリップ部（１）は所定ピッチをもって配設され、かつ、隣り合うクリップ部（１)(１）の間に、複数本の傾斜障害突部（２Ｂ)(２Ｂ）が正面視上方拡開状に配設され、かつ、隣り合う該障害突部（２Ｂ）と該クリップ部（１）の間には隙間（Ｓ）が形成されている請求項１，２，３，４，５，６又は７記載の電線保護カバー用の鳥類飛来防止装置。
【請求項９】
軸心方向（Ｌ）における各上記クリップ部（１）の中央位置に、上向きの障害突部（２Ａ）が配設され、該上向き障害突部（２Ａ）と上記傾斜障害突部（２Ｂ）とは、軸心方向（Ｌ）から見て放射状に配設されている請求項８記載の電線保護カバー用の鳥類飛来防止装置。
【発明の詳細な説明】
【技術分野】
【０００１】
本発明は、電線保護カバー用の鳥類飛来防止装置に関するものである。
【背景技術】
【０００２】
従来の電線保護カバー用の鳥類飛来防止装置として、電線に外嵌する電線保護カバーの円筒状電線挿通部に複数の孔部を形成し、先端が鋭利な棒体をこの孔に内周面側から差込むことによって、電線挿通部に複数本の棒体を外径方向へ突設させるものが知られている（例えば、特許文献１参照）。
【特許文献１】特開平７−７９６８２号公報
【発明の開示】
【発明が解決しようとする課題】
【０００３】
従来のこの鳥類飛来防止装置は、電線保護カバーに設けた孔部に、一本ずつ棒体を差込んで固着する必要があり、作製に手間が掛かる。また、この電線保護カバーは、切断して長さ調整されるものではないので、現場で電線の長さや取付場所の状況に応じて長さを調整して取り付けることができない。
【０００４】
そこで、本発明は、現場で容易に所望の長さに切断することができ、かつ、取付作業が容易で取付けた後に不意に脱落することがなく、さらに、作製に手間が掛からず大量生産が可能な電線保護カバー用の鳥類飛来防止装置を提供することを目的とする。
【課題を解決するための手段】
【０００５】
上記目的を達成するために、本発明に係る電線保護カバー用の鳥類飛来防止装置は、電線保護カバーに着脱自在に取着される取付部と、該取付部から上方へ突設された複数の障害突部とを、備え、上記取付部は、上記カバーを左右両側から挟持する弾性変形可能な複数のクリップ部と、該複数のクリップ部の上部を貫通して連結する１本の捩じり変形可能な連結杆と、を具備する。
【０００６】
また、上記クリップ部は、上記カバーに取付状態で、該カバーの円筒状電線挿通部を左右両側から挟持すると共に該カバーの下辺突条部が通される切れ目を下部に有する正面視円環状挟持部を具備する。
【０００７】
また、上記挟持部は、側方に開口する窓部を有するフレーム材が弯曲形成されたものである。
また、上記クリップ部は、上記挟持部の上記切れ目を成す両下縁部に、上記カバーの上記電線挿通部に上方から嵌込む際に誘導する一対の弯曲片部を下方拡開状に有する。
また、上記弯曲片部以外の部材が、全て線条体から形成される。
【０００８】
また、上記弯曲片部は挿通用孔が形成され、上記カバーに取付状態で、各上記クリップ部の一対の上記弯曲片部の該孔に、紐状の離脱防止部材を通して固定し、該離脱防止部材が上記カバーの下辺突条部を下方から包囲して離脱防止するように構成されている。
【０００９】
また、上記取付部と上記複数の障害突部が一体に射出成形されている。
また、上記複数のクリップ部は所定ピッチをもって配設され、かつ、隣り合うクリップ部の間に、複数本の傾斜障害突部が正面視上方拡開状に配設され、かつ、隣り合う該障害突部と該クリップ部の間には隙間が形成されている。
また、軸心方向における各上記クリップ部の中央位置に、上向きの障害突部が配設され、該上向き障害突部と上記傾斜障害突部とは、軸心方向から見て放射状に配設されている。
【発明の効果】
【００１０】
本発明は、次のような著大な効果を奏する。
本発明に係る電線保護カバー用の鳥類飛来防止装置は、電線保護カバーに着脱自在に取着される取付部と、取付部から上方へ突設された複数の障害突部とを、備えるので、現場にて電線保護カバーに取付けるだけで、鳥類の飛来を防止することができる。そして、取付が容易なので、少人数での作業も可能であり、現場での作業性が向上する。また、取付部の複数のクリップ部が、夫々、カバーを左右両側から弾性力によって挟持するので、取付後に、取付部が不意にカバーから外れるのを確実に防止できる。
また、複数のクリップ部を貫通して連結する連結杆が捩じれ変形可能なので、取付後に電線（カバー）が捩じれても、クリップ部がカバーに外嵌した状態で捩じれに柔軟に対応して追従することができる。よって、電線、及び、保護カバーの状態に対応して、クリップ部がカバーから離脱するのが防止される。
【発明を実施するための最良の形態】
【００１１】
以下、実施の形態を示す図面に基づき、本発明を詳説する。
図１，図２に示したように、本発明に係る電線保護カバー用の鳥類飛来防止装置の実施の一形態は、電線保護カバー３に着脱自在に取着される取付部７と、取付部７から上方へ突設された複数の障害突部２…とを、備える。電線保護カバー３は、電線に外嵌されて紫外線・風・飛来物や、建設機械の接触等から電線を守るためのものであり、電線に外嵌される円筒状電線挿通部４と、電線挿通部４の下辺に沿って突設された下辺突条部５とから成る。
【００１２】
取付部７は、カバー３の電線挿通部４を左右両側から挟持する弾性変形可能な複数のクリップ部１…と、複数のクリップ部１…の上部１ａ…を貫通して連結する１本の捩じり変形可能な連結杆６と、を具備する。なお、本発明に於て、円筒状の電線挿通部４の軸心に沿う方向を軸心方向Ｌと呼ぶものとし、本鳥類飛来防止装置に関しては、それを電線挿通部４（カバー３）に取着した状態を想定して、軸心方向Ｌと呼ぶ。複数のクリップ部１…は所定ピッチをもって配設され、隣り合うクリップ部１，１の間には、後述のように、傾斜障害突部２，２が配設される。
【００１３】
図１〜図６に示したように、各クリップ部１は、（電線保護カバー３への取付状態で、）電線挿通部４を左右両側から挟持すると共にカバー３の下辺突条部５が通される切れ目11を下部に有する正面視円環状挟持部10を具備する。挟持部10は、側方に開口する窓部17を有するフレーム材18を正面視円環状に弯曲形成したものである。具体的には、各挟持部10は、窓部17を上側窓部17Ａと下側窓部17Ｂとに分割する軸心方向Ｌに平行な補強用横杆部15，15を、上下中間位置に両側に有する。言い換えると、挟持部10は、切れ目11を下部に有する閉ループ形状である。そして、フレーム材18のうち横杆部15よりも下側に配設される下側枠部18Ｂは、上側に配設される上側枠部18Ａよりも狭い間隔を有するように形成され、下側枠部18Ｂの軸心方向Ｌの幅寸法は、上側枠部18Ａが成す窓部17Ａの幅寸法と略同じ大きさに設定される（図４，図５参照）。
【００１４】
また、各クリップ部１は、挟持部10の切れ目11を成す両下縁部12，12に、カバー３の電線挿通部４に上方から嵌込む際に誘導する一対の弯曲片部13，13を下方拡開状に有する。弯曲片部13は、外方側が半円弧形状を有する小片部材を、下面側が凸状となるように緩やかに弯曲形成したものであり、下側枠部18Ｂの下端に固着される。また、下縁部12，12間の切れ目11の間隔寸法Ｄ11は、自由状態（カバー３に取付けられていない状態）において、カバー３の下辺突条部５の厚さ（横幅）よりも僅かに大きな間隔を有する。取付部７は、弯曲片部13以外が全て線条体から形成されており、軽量化が図られると共に、弾性変形し易くなりカバー３に嵌込み易い構造である。
そして、各弯曲片部13には１個の挿通用孔14が形成されており、取付部７がカバー３に取付けられた状態に於て、各クリップ部１の一対の弯曲片部13，13の孔14，14に紐状の離脱防止部材16を通して、両端部が留められる（図３参照）。これによれば、離脱防止部材16がカバー３の下辺突条部５を下方から包囲しており、装置に外力が掛かりクリップ部１がカバー３の電線挿通部４から脱しかけても、離脱防止部材16が、カバー３の下辺突条部５の下端に引っ掛かるため離脱が防止される。なお、離脱防止部材16の一端が一方の弯曲片部13に一体成形され、防止部材16の他端を他方の弯曲片部13の孔14に通して留めるように形成するのも良い。
また、連結杆６は、正面視において略平坦な底面と弯曲凸状の上面部とを有する略蒲鉾型の細線材から成る。
【００１５】
次に、障害突部２について説明する。
図１〜図６に於て、障害突部２は、各クリップ部１の前後中間位置において、連結杆６上に起立状に立設された上向き障害突部２Ａと、隣り合うクリップ部１，１間に於て正面視上方拡開状に突設された傾斜障害突部２Ｂと、を有する。
先ず、上向き障害突部２Ａは、軸心方向Ｌにおける各クリップ部１の中央位置において連結杆６に上方へ真っ直ぐ突設されている。また、上向き障害突部２Ａは、連結杆６の下部に開口する細長状の収納空洞部21が形成されており、他の装置の障害突部２Ａが差込まれて、鳥類飛来防止装置を二つ以上積み重ね可能である（図６，図10参照）。
【００１６】
次に、傾斜障害突部２Ｂについて説明すると、隣り合うクリップ部１，１の間には、左右一対の傾斜障害突部２Ｂ，２Ｂが正面視上方拡開状に設けられる。この一対の傾斜障害突部２Ｂ，２Ｂは、下部に形成された小円弧状の基部22，22をもって、連結杆６に一体に設けられている。このように、上向き障害突部２Ａと、左右一対の傾斜障害突部２Ｂ，２Ｂとは、軸心方向Ｌにずれた位置にて突設されており、軸心方向Ｌから見て放射状に配設される（図３，図６参照）。
また、隣り合う障害突部２Ｂの基部22とクリップ部１の間には、連結杆６を切断可能とする隙間Ｓが形成されている（図２，図４，図５参照）。
上向き障害突部２Ａと傾斜障害突部２Ｂは共に細長四角錐状に形成され、尖り状の頂部を有するが、頂部を尖り状ではなく、弯曲上面を有する丸形状としてもよい。
【００１７】
なお、カバー３に取付状態で、各傾斜障害突部２Ｂが、鉛直方向に対して成す傾斜角度θ2 は20°〜40°であり、略30°であるのが望ましい。θ2 が20°未満であると、カバー３が捩じれた状態（カバー３の下辺突条部５が側方下傾となる状態）になる場合、その捩じれ具合が大きい場合に傾斜障害突部２Ｂが上方向を向かず、鳥類飛来防止機能が低くなる。また、θ2 が40°超過であると、カバー３の捩じれ具合が小さい場合（例えば、カバー３が20°捩じれて保持される場合）に上向き障害突部２Ａ・傾斜障害突部２Ｂが共に上方向を向かず、鳥類飛来防止機能が低くなる。
【００１８】
そして、複数の障害突部２…と取付部７はプラスチック等の弾性変形可能な絶縁材料から成り、一体に射出成形されている。即ち、クリップ部１は挟持部10と弯曲片部13，13が一体形成されて成り、複数のクリップ部１…が連結杆６と一体形成されて取付部７を成す。
【００１９】
次に、本発明の鳥類飛来防止装置を電線保護カバー３に取付ける手順について説明する。図７に於て、取付部７のクリップ部１の弯曲片部13，13の下面を、電線に取付済みの電線保護カバー３の電線挿通部４に上方から押し付けると、弯曲片部13，13が電線挿通部４の上面に沿ってスライドし、挟持部10が左右方向外方へ弾性変形により拡がりつつ誘導される。そして、クリップ部１の挟持部10を電線保護カバー３に完全に外嵌して、図１〜図３に示したように、弾性力で復元してカバー３を挟持すればセット完了である。挟持部10は上述のように窓部17を有する線条体から成り、非常に柔軟に弾性変形するので、上方から押し込むだけで容易にセットできて、少人数でも迅速に取付可能である。取付けた状態において、カバー３の下辺突条部５が、挟持部10の下縁部12，12間の切れ目11を通って下方へ突出するため、下辺突条部５の上部が下縁部12，12によって両側から受けられており、装置は、風等の外力を受けてもカバー３に対して揺動（回転）しない。
【００２０】
そして、各クリップ部１において、左右弯曲片部13，13の挿通用孔14，14に紐状の離脱防止部材16を通して、カバー３の下辺突条部５を下方から包囲するようにして、両端部を留める（図３参照）。仮に、装置にカバー３から離脱するような外力が掛かりクリップ部１がカバー３の電線挿通部４から脱しかけても、離脱防止部材16が、カバー３の下辺突条部５の下端に引っ掛かるため離脱が防止される。なお、電線に取付ける前の電線保護カバー３に対しても本発明の装置を着脱するのもよく、電線に取付後のカバー３に着脱する場合と異なり、横に寝かせた状態で着脱可能である。
【００２１】
また、連結杆６を、相互に隣り合うクリップ部１と傾斜障害突部２Ｂの間の隙間Ｓにより、切断工具を用いて切断することで、容易に分断できるので、現場にて、容易に所望の長さに加工でき、加工性と作業性が上がる。また、各クリップ部１は単独でもカバー３を挟持可能であり、連結杆６をどの部位で分断しても、クリップ部１がカバー３を確実に挟持する。また、クリップ部１と傾斜障害突部２Ｂとが交互に連結杆６に取り付けられていることから、連結杆６をどのような所望の位置で分断しても、装置は障害突部２Ｂを含むようになる。
【００２２】
また、電線保護カバー３内に複数本の電線を通した場合カバー３の電線挿通部４の外径が大きくなるが、各クリップ部１は、電線挿通部４の形状に合わせて変形して取付可能である。また、取付けられた状態で、各クリップ部１は弾発付勢力（復元力）によってカバー３の電線挿通部４を締め付けるため、脱落が防止される。
【００２３】
そして、図９（Ａ）に示したように、電線（及び、保護カバー３）が捩じれる（カバー３の下辺突条部５が側方下傾となる）と、図９（Ｂ）のように、連結杆６が捩じれ変形して、クリップ部１…はカバー３に外嵌した状態で捩じれに追従する。クリップ部１…は１本の捩じれ変形自在な背骨状の連結杆６によって連結されており、連結杆６は、カバー３の捩じれ具合に柔軟に対応して捩じれるので、クリップ部１…がカバー３を挟持する状態が保たれ、離脱するのが防止される。
また、捩じれたクリップ部１…は、その傾斜障害突部２Ｂ…が上方向を向くので、鳥類飛来防止機能は保たれる。
【００２４】
また、本装置を図５に於て平面視したとき、弯曲片部13が、下側枠部18Ｂが成す下側窓部17Ｂ内に納まり（上下方向で重なる部分が無く）、かつ、下側枠部18Ｂが、上側枠部18Ａが成す上側窓部17Ａ内に納まり、かつ、連結杆６が、挟持部10の下縁部12，12が成す切れ目11内に納まる。かつ、平面視に於て、傾斜障害突部２Ｂは、クリップ部１・連結杆６に上下方向で重ならず、かつ、上向き障害突部２Ａは、連結杆６上に突設されている。従って、本装置は、上型と下型とを上下方向に合わせて射出成形を行うことが可能である。そして、射出による一体成形によって製造できることから大量生産が容易である。また、クリップ部１の挟持部10を形成するための中子（コア）が不要であり、金型の製造コストが抑えられる。
【００２５】
次に、二つ以上の本装置を積み重ねて梱包することについて説明する。
図６，図10に於て、上向き障害突部２Ａは、連結杆６の下部に開口する細長状の収納空洞部21が形成されている。従って、一（上側）の装置を他（下側）の装置に上方から重ねると、上側装置の上向き障害突部２Ａ…の収納空洞部21…に、下側の装置の上向き障害突部２Ａ…が差し込まれる（図10参照）。さらに、下側装置の連結杆６が、上側装置の切れ目11を通り、かつ、上側装置の弯曲片部13…及び下側枠部18Ｂ…が、下側装置の上側窓部17Ａ…を通って納まる状態になる。さらに、上側装置と下側装置の傾斜障害突部２Ｂ…が非接触状で上下に重なる。このように、装置をコンパクトに積み重ねて梱包できる。そして、上向き障害突部２Ａが収納されることで保護されて運搬時等の破損が防がれる。
【００２６】
また、図７，図８に示したように、傾斜障害突部２Ｂを横断面Ｈ型として、樹脂の使用量を減少し、軽量化を図りつつ、強度を確保することも、好ましい（図１〜図６のいずれにも応用可能）。
また、図示省略するが、本装置は設計変更自由であり、上述の上向き障害突部２Ａ、傾斜障害突部２Ｂに加えて、鉛直方向に対して成す傾斜角度が傾斜障害突部２Ｂよりも大きな障害突部２…を本装置に設けるのもよい。例えば、各クリップ部１の一対の横杆部15，15に、傾斜障害突部２Ｂの傾斜角度θ2 よりも大きな傾斜角度をもって大傾斜障害突部２，２を取付けて、正面視上方拡開状に一体に突設する。このとき、上向き障害突部２Ａ、傾斜障害突部２Ｂ，２Ｂ、及び、大傾斜障害突部２，２が、軸心方向Ｌから見て、放射状に（紅葉の葉のように）配設され、カバー３が大きく捩じれた場合でも、大傾斜障害突部２が上方向に向いて鳥類飛来防止機能が発揮される。しかも、この大傾斜障害突部２は、クリップ部１の横杆部15から突設されることで、上下方向において他のどの部分とも重ならないので、上型・下型を上下方向に重ねて射出成形可能となるので有効である。
【００２７】
また、本装置は、連結杆６に例えば12個のクリップ部１…が連結状となって形成される。この場合、12個全てのクリップ部１…カバー３に嵌めるのは容易ではないことから、本装置を次のように設計変更することもできる。即ち、図１に於て、クリップ部１…のうち、例えば、１つ置きや２つ置きのクリップ部１を、下側枠部18Ｂと弯曲片部13，13が省略され上側枠部18Ａのみから成るように形成する。これによれば、装置をカバー３に嵌込む際に弾性変形で拡げて外嵌させるクリップ部１の数量が（全てのクリップ部１…が挟持部10を有する場合に比べて）少ないので、取り付けがスムーズとなる。
また、図１に示したように、１ユニットの本装置を、連結杆６の一端には傾斜障害突部２Ｂを突設させ、かつ、連結杆６の他端には障害突部２Ｂを設けないように形成することで、２つ以上の本装置を連続してカバー３に取付けた場合に、上向き障害突部２Ａと傾斜障害突部２Ｂとが所定ピッチで連続して配設されるようになる。
【００２８】
以上のように、本発明に係る電線保護カバー用の鳥類飛来防止装置は、電線保護カバー３に着脱自在に取着される取付部７と、取付部７から上方へ突設された複数の障害突部２とを、備え、取付部７は、カバー３を左右両側から挟持する弾性変形可能な複数のクリップ部１と、複数のクリップ部１の上部１ａを貫通して連結する１本の捩じり変形可能な連結杆６と、を具備するので、電線に取付済みの電線保護カバー３に上から被せるだけで装置を取付けることができ、少人数でも容易に取付可能となる。また、複数のクリップ部１…の夫々が、カバー３を左右両側から弾性力によって挟持するので、取付後に、取付部７が不意にカバー３から外れるのを確実に防止できる。
また、連結杆６が捩じれ変形可能なので、電線（カバー３）が捩じれても、クリップ部１…がカバー３に外嵌した状態で捩じれに柔軟に対応して追従することができ、クリップ部１…がカバー３から離脱するのを防止できる。
【００２９】
また、クリップ部１は、カバー３に取付状態で、カバー３の円筒状電線挿通部４を左右両側から挟持すると共にカバー３の下辺突条部５が通される切れ目11を下部に有する正面視円環状（閉ループ形状）挟持部10を具備するので、両側からカバー３を確実に挟持して不意に外れることがない。しかも、切れ目11を成す挟持部10の下縁部12，12がカバー３の下辺突条部５の上部を両側から受けるので、外力等を受けても装置がカバー３に対して回転することがなく、障害突部２…を上向きに保持できて、鳥類の飛来を確実に防止できる。
【００３０】
また、挟持部10は、側方に開口する窓部17を有するフレーム材18が弯曲形成されたものなので、装置全体の軽量化を図ることができる。しかも、挟持部10が弾性変形し易いので、取付の際にスムーズにカバー３に嵌める作業を行うことができる。また、射出成形により容易に大量生産をすることができ、しかも、少ない材料で製造できるので、コストも低減できる。
【００３１】
また、クリップ部１は、挟持部10の切れ目11を成す両下縁部12，12に、カバー３の電線挿通部４に上方から嵌込む際に誘導する一対の弯曲片部13，13を下方拡開状に有するので、弯曲片部13，13をカバー３の電線挿通部４に上方から押し付ければ、その下面が電線挿通部４の上面をスライドし、挟持部10がスムーズに側方へ拡がる。よって、カバー３への取付作業が非常に楽になるので、少人数でも容易に取付作業を行うことができ、現場での作業性を向上させることができる。
【００３２】
また、弯曲片部13，13以外の部材が、全て線条体から形成されるので、装置全体の軽量化を図ることができると共に、弾性変形し易くなるので挟持部10が開き易くスムーズにカバー３に嵌める作業を行うことができる。また、連結杆６も線条体から形成されており、捩じれ変形し易いため、カバー３の捩じれ変形に非常に柔軟に対応して追従することができる。よって、クリップ部１…がカバー３から離脱するのが確実に防止される。
【００３３】
また、弯曲片部13は挿通用孔14が形成され、カバー３に取付状態で、各クリップ部１の一対の弯曲片部13，13の孔14，14に、紐状の離脱防止部材16を通して固定し、離脱防止部材16がカバー３の下辺突条部５を下方から包囲して離脱防止するように構成されているので、装置に、カバー３から離脱する方向へ外力が掛かって離脱しかけても、離脱防止部材16がカバー３の下辺突条部５の下端に引っ掛かるため離脱するのが防止される。
【００３４】
また、取付部７と複数の障害突部２が一体に射出成形されているので、製造が容易になり、大量生産を行うことができる。また、全体が強固な構造となり、カバー３に取付けた状態で外力を受けても破損しにくい。
【００３５】
また、複数のクリップ部１は所定ピッチをもって配設され、かつ、隣り合うクリップ部１，１の間に、傾斜障害突部２Ｂ，２Ｂが正面視上方拡開状に配設され、かつ、隣り合う障害突部２Ｂとクリップ部１の間には隙間Ｓが形成されているので、連結杆６を、隙間Ｓの部位で切断工具を用いて切断できる。よって、現場にて、容易に所望の長さに加工でき、加工性と作業性が上がる。しかも、隣り合うクリップ部１，１間に傾斜障害突部２Ｂ，２Ｂが配設されているので、連結杆６をどの部位で分断しても、装置が傾斜障害突部２Ｂ，２Ｂを含む状態になり、カバー３に取付けて鳥類の飛来を確実に防止する機能を発揮できる。
【００３６】
また、軸心方向Ｌにおける各クリップ部１の中央位置に、上向きの障害突部２Ａが配設され、上向き障害突部２Ａと傾斜障害突部２Ｂとは、軸心方向Ｌから見て放射状に配設されているので、電線、及び、電線保護カバー３が捩じれた状態（カバー３の下辺突条部５が側方下傾となる状態）になってしまっても、通常（下辺突条部５が鉛直状態）では斜め上方を向いている障害突部２が上方を向くため、鳥類飛来防止機能を発揮できる。
【図面の簡単な説明】
【００３７】
【図１】本発明に係る電線保護カバー用の鳥類飛来防止装置の実施の一形態を示す斜視図である。
【図２】要部斜視図である。
【図３】一部断面で示す正面図である。
【図４】要部側面図である。
【図５】要部平面図である。
【図６】図４のＡ−Ａ断面図である。
【図７】一部断面で示す取付状態説明図である。
【図８】図７のＢ−Ｂ断面図である。
【図９】使用状態の説明図であって、（Ａ）は捩じれた状態の電線保護カバーの斜視説明図、（Ｂ）は取着状態の斜視説明図である。
【図１０】積み重ねた状態を示す斜視図である。
【符号の説明】
【００３８】
１  クリップ部
１ａ  上部
２，２Ａ，２Ｂ  障害突部
３  電線保護カバー
４  電線挿通部
５  下辺突条部
６  連結杆
７  取付部
10  挟持部
11  切れ目
12  下線部
13  弯曲片部
14  孔
16  離脱防止部材
17  窓部
18  フレーム材
Ｌ  軸心方向
Ｓ  隙間
【図１】
2008022742.tif 000003
【図２】
2008022742.tif 000004
【図３】
2008022742.tif 000005
【図４】
2008022742.tif 000006
【図５】
2008022742.tif 000007
【図６】
2008022742.tif 000008
【図７】
2008022742.tif 000009
【図８】
2008022742.tif 000010
【図９】
2008022742.tif 000011
【図１０】
2008022742.tif 000012